(57)【要約】      （修正有）【課題】ハラル製品関連情報の検証及び交換を促進するために、地理的に分散した貿易パートナーの統合プラットフォームを構築する。【解決手段】システム１００は、外部認証機関と接続して、製品の貿易関連情報を、ハラル製品に関しての検証のための該製品に関連付けられたハラル証明書情報と統合する。ハラル製品のサプライチェーン関連の問題の検討に用いることができるようにするために、統合された情報は貿易パートナーに提供される。これによって、システムは、異種の認証情報が補足及び検証されて、それが貿易関連情報と共に使用されることに関して適したフォーマットに変換されて、貿易パートナー間で製品仕様とハラル認証情報との自動的同期化がなされる。【選択図】図６
2017224279.tif 000002
【特許請求の範囲】
【請求項１】
地理的に分散した貿易パートナーのネットワークにおけるハラル製品関連情報の捕捉、検証、及び相互作用を促進するためのシステム（１００）であって、
複数の貿易パートナー、グローバルな貿易標準化機関を含む外部認証機関、及びグローバルなハラル認証機関と接続するためのインターフェースモジュール（１０２）と、
前記貿易パートナーの各々の製品及びハラル認証情報を、前記インターフェースモジュール（１０２）を介して前記外部認証機関から抽出するための抽出モジュール（１０４）と、
前記貿易パートナーからの製品及びハラル賞若しくは証明書関連情報を前記インターフェースモジュール（１０２）を介して受信し、また、各製品についての前記抽出された情報を前記抽出モジュール（１０４）を介して受信するための統合モジュール（１０６）であって、前記製品及びハラル賞若しくは証明書関連情報を前記抽出された情報と比較することによって前記貿易パートナー及びそれに対応する製品を検証し、該検証が成功した場合には前記対応する貿易パートナーからの前記製品及びハラル賞若しくは証明書関連情報を、前記製品についての前記抽出されたハラル認証情報と統合してデータ構造を得て該データ構造をレポジトリ（１０８）内に格納する、統合モジュール（１０６）と、
前記レポジトリ（１０８）と協働するデータ交換プラットフォーム（１１０）であって、製品関連情報を伝達するために前記貿易パートナー間での相互作用をもたらすための通信インターフェースを含む、データ交換プラットフォーム（１１０）と、
を備える、システム。
【請求項２】
請求項１に記載のシステム（１００）であって、
前記貿易パートナーは前記インターフェースモジュール（１０２）を介して製品についての製品及びハラル賞若しくは証明書関連情報を提供し、前記情報には、前記グローバルな貿易標準化機関によって提供される前記製品についての識別番号、ハラル賞若しくは証明書の詳細事項、前記製品に使用されている原料、前記製品の栄養価、前記製品に使用されている原料の源泉、製品の包装、並びに、ハラル物流やハラル倉庫保管やハラル小売りやハラル金融の使用に関する事項が含まれる、システム。
【請求項３】
請求項１に記載のシステム（１００）であって、
前記インターフェースモジュール（１０２）は、アプリケーションプログラマブルインターフェース（ＡＰＩ）、ＸＭＬメッセージ、及び電子データ交換（ＥＤＩ）を含む通信手法を用いて、前記貿易パートナー及び外部認証機関と通信して製品関連及び認証関連情報を抽出する、システム。
【請求項４】
請求項１に記載のシステム（１００）であって、
前記データ交換プラットフォーム（１１０）はハラル製品の購買を促進する支払インターフェースを備えるポータル（１１０）を含む、システム。
【請求項５】
請求項４に記載のシステム（１００）であって、
前記ポータル（１１０）は複数のアクションボタンを含んでおり、該ボタンは、貿易パートナーが、特定の製品又は相手方を検索すること、特定の製品カタログを購読すること、情報請求のために貿易パートナーに連絡すること、及び、特定の製品に関して支払を行うことを支援する、システム。
【請求項６】
請求項１に記載のシステム（１００）であって、
解析エンジン（１１２）をさらに備え、該解析エンジンは、前記システム（１００）の活動を解析し、また、予測、貿易パートナー／製品についてのランキング及び／又はレーティング、類似製品についてのレコメンデーション、レポート及びこれらの組合せを含む解析結果を生成する、システム。
【請求項７】
請求項１に記載のシステムであって、
前記システム（１００）は更新モジュール（１１４）をさらに備え、該更新モジュールは、貿易パートナーの前記製品カタログへの変更及び前記ハラル認証機関にて登録されているハラル認証情報への変更に対して行った解釈に基づいて、製品関連情報及びハラル認証関連情報を前記レポジトリ（１０８）にて更新する、システム。
【請求項８】
地理的に分散した貿易パートナーのネットワークにおけるハラル製品関連情報の捕捉、検証、及び相互作用を促進するための方法であって、
複数の貿易パートナー、及びグローバルな貿易標準化機関を含む外部認証機関、及びグローバルなハラル認証機関と接続するためのインターフェースを提供する第１のステップと、
製品及びハラル賞若しくは証明書関連情報を少なくとも１つの貿易パートナーから受信する第２のステップと、
前記第２のステップで受信した情報に基づいて少なくとも１つの貿易パートナーの製品及びハラル認証情報を前記外部認証機関から抽出する第３のステップと、
前記製品及びハラル賞若しくは証明書関連情報を前記抽出された情報と比較することによって前記貿易パートナー及びそれに対応する製品を検証する第４のステップと、
前記検証が成功した場合には前記対応する貿易パートナーからの前記製品及びハラル賞若しくは証明書関連情報を、前記製品についての前記抽出されたハラル認証情報と統合してデータ構造を得る第５のステップと、
前記データ構造をレポジトリ内に格納する第６のステップと、
通信インターフェースを提供して前記貿易パートナー間での相互作用をもたらして前記レポジトリ内に格納された製品関連情報を伝達する第７のステップと、
を含む、方法。
【請求項９】
請求項８に記載の方法であって、
前記製品及びハラル賞若しくは証明書関連情報を前記製品についてのハラル認証情報と統合してデータ構造を得るステップは、前記グローバルな貿易標準化機関によって提供される前記製品についての識別番号、ハラル賞若しくは証明書の詳細事項、前記製品に使用されている原料、前記製品の栄養価、前記製品に使用されている原料の源泉、製品の包装、並びに、ハラル物流やハラル倉庫保管やハラル小売りやハラル金融の使用に関する事項を補足することを含む、方法。
【請求項１０】
請求項８に記載の方法であって、
前記通信インターフェースを提供するステップは、貿易パートナーが、特定の製品又は供給業者を検索すること、特定の製品カタログを購読すること、情報請求のために貿易パートナーに連絡すること、及び、特定の製品に関して支払を行うことを支援するステップを含む、方法。
【請求項１１】
支払インターフェースを提供してハラル製品の購買を支援するステップをさらに含む、請求項８に記載の方法。
【請求項１２】
請求項８に記載の方法であって、
前記グローバルな貿易標準化機関に登録されている貿易パートナーの製品カタログへ加えられた変更及び前記ハラル認証機関において入手可能なハラル認証情報へ加えられた変更を追跡及び解釈するステップと、前記変更をもって、前記レポジトリ内に格納されている当該製品についてのデータ構造を更新するステップ、とをさらに含む、方法。
【請求項１３】
請求項８に記載の方法であって、
前記ポータル上での活動を解析するステップと、
予測、貿易パートナーの製品についてのランキング及び／又はレーティング、類似製品についてのレコメンデーション、レポート及びこれらの組合せを含む解析結果を前記解析された活動に基づいて生成するステップと、
をさらに含む、方法。
【請求項１４】
データ構造を生成して、地理的に分散した貿易パートナーのネットワークのための検証済みハラル製品関連情報の捕捉を促進する方法であって、
製品及びハラル賞若しくは証明書関連情報を貿易パートナーから受信する第１のステップと、
前記第１のステップで受信した前記製品及びハラル賞若しくは証明書関連情報に基づいて前記貿易パートナーの各々の製品及びハラル認証情報を、グローバルな貿易標準化機関とグローバルなハラル認証機関とを含む外部認証機関から抽出する第２のステップと、
前記貿易パートナーによって提供された前記製品及びハラル賞若しくは証明書関連情報を、前記第２のステップで取得した前記抽出された情報と比較することによって前記貿易パートナー及びそれに対応する製品を検証する第３のステップと、
前記検証が成功した場合には前記対応する貿易パートナーから受信した前記製品及びハラル賞若しくは証明書関連情報を、前記関連付けられた製品についての前記抽出されたハラル認証情報と統合する第４のステップと、
特定の貿易パートナー及び少なくとも１つの対応する製品についての前記統合された情報を個別データ構造内へと格納する第５のステップと、
前記データ構造をレポジトリ内へと格納する第６のステップと、
を含む、方法。
【請求項１５】
請求項１４に記載の方法であって、製品及びハラル賞若しくは証明書関連情報を貿易パートナーから受信するステップは、前記グローバルな貿易標準化機関によって提供される前記製品についての識別番号、ハラル賞若しくは証明書の詳細事項、前記製品に使用されている原料、前記製品の栄養価、前記製品に使用されている原料の源泉、製品の包装、並びに、ハラル物流やハラル倉庫保管やハラル小売りやハラル金融の使用に関する事項を含む情報を補足することを含む、方法。
【請求項１６】
地理的に分散した貿易パートナーのネットワークのための検証済みハラル製品関連情報を捕捉するためのコンピュータ可読媒体であって、
プロセッサを有し、
前記プロセッサは、製品及びハラル賞若しくは証明書関連情報を少なくとも１つの貿易パートナーから受信し、前記製品及びハラル賞若しくは証明書関連情報に基づいて前記少なくとも１つの貿易パートナーの製品及びハラル認証情報を、グローバルな貿易標準化機関とグローバルなハラル認証機関とを含む外部認証機関から抽出し、前記製品及びハラル賞若しくは証明書関連情報を、前記抽出された情報と比較することによって前記少なくとも１つの貿易パートナー及びそれに対応する製品を検証し、前記検証が成功した場合には前記対応する貿易パートナーから受信した前記製品及びハラル賞若しくは証明書関連情報を、前記関連付けられた製品についての前記抽出されたハラル認証情報と統合するように構成されており、
特定の貿易パートナー及び少なくとも１つの対応する製品についての前記統合された情報を個別データ構造内へと格納するためのレポジトリを更に備える、
コンピュータ可読媒体。
【請求項１７】
請求項１６に記載のコンピュータ可読媒体であって、
貿易パートナーからの前記製品及びハラル賞若しくは証明書関連情報は、前記グローバルな貿易標準化機関によって提供される前記製品についての識別番号、前記製品に使用されている原料、前記製品の栄養価、前記製品に使用されている原料の源泉、製品の包装、並びに、ハラル物流やハラル倉庫保管やハラル小売りやハラル金融の使用に関する事項を含む情報を含む、コンピュータ可読媒体。
【請求項１８】
請求項１６に記載のコンピュータ可読媒体であって、
前記データ構造内に格納されたハラル製品関連情報について地理的に分散した貿易パートナー間で同期及び伝達を行うためのデータ交換プラットフォームに組み込まれる、コンピュータ可読媒体。
【請求項１９】
請求項１６に記載のコンピュータ可読媒体であって、
地理的に分散した貿易パートナーのネットワークにおけるハラル製品の商取引を促進するために前記データ構造内に格納されているハラル製品関連情報を用いるためのポータル内に組み込まれ、該ポータルは通信インターフェースと支払インターフェースとを備える、コンピュータ可読媒体。
【発明の詳細な説明】
【技術分野】
【０００１】
本発明は、ハラル製品関連情報の検証及び交換を促進するために、地理的に分散した貿易パートナーのネットワークのための統合プラットフォームをもたらすことに関する。
【背景技術】
【０００２】
ハラル製品に関してのグローバルな需給ギャップは急速に増大しており、また、８０％の不足があると推計されている。需給ギャップを惹起している１つの要因としては、異なる地域のイスラム社会にて遵守されるハラル食事慣行及びガイドラインの差異が挙げられる。ハラル食事慣行及びガイドラインの差異はサプライチェーン業界に困難をもたらしている。なぜならば、該業界においては、特定の地域のハラル慣行及びガイドラインを充足するためには、製品及び製品のパッケージング情報をカスタマイズする必要があるからである。
【０００３】
また、製品が消費者の宗教的信念に合致していることを保証するために、消費者は、製品の源泉、製品の製造方法、及び原料を含む製品に関する詳細情報を、小売業者から提供されることを必要としているため、この点でもサプライチェーン側は困難に直面する。
【０００４】
ハラル製品及び／又は役務に関しての需給ギャップに対処するに際しての別の困難性は、次の点にも見出される。即ち、ローカルなハラル製品の供給業者が自己の製品の販売促進のために独特の技術を使用しており、それ故にグローバルな貿易プラットフォームでは認知されていないという点である。また、ローカルな供給業者は、グローバルなハラル製品の供給のためにグローバルな小売業者が必要とする情報を認知しておらず、それ故にローカルな供給業者はグローバルな小売業者から認知されていない。
【０００５】
仮に一部の供給業者が自己の製品をグローバルな貿易プラットフォームに登録したとしても、これらのプラットフォームは、製品の詳細情報との関連性を伴ったハラル関連情報を捉えていない。したがって、購入者又は小売業者にとっては、製品のハラル証明書を確認すること及び該製品が特定の地域において普及しているハラル基準に合致するか否かを検証することが、極めて困難となる。
【０００６】
したがって、下記の工程によってハラル製品及び役務に関しての需給ギャップを埋めるシステムが必要とされている。
・製品が特定のハラル慣行に準拠するように認証製品のトレーサビリティを捕捉すること；
・製品情報をハラル認証情報とリンクさせて、グローバルな貿易パートナーが、異なる市場及び文化のニーズと関連性を有する様々なハラル関連パラメータにアクセスできるようにすること；及び
・貿易パートナー間での連絡を促進して、貿易を発展させてまたハラル関連の製品情報の交換を促進すること。
【発明の概要】
【０００７】
本発明の実施形態は、地理的に分散した貿易パートナーのネットワークにおけるハラル製品関連情報の検証及び交換を促進するためのシステム及び方法を提供する。
【０００８】
本発明の第１の態様によれば、システムは、複数の貿易パートナー、グローバルな貿易標準化機関を含む外部認証機関、及びグローバルなハラル認証機関と接続するためのインターフェースモジュールと、貿易パートナーの各々の製品及びハラル認証情報を、インターフェースモジュールを介して外部認証機関から抽出するための抽出モジュールとを備える。さらに、システムは、貿易パートナーからの製品及びハラル賞若しくは証明書関連情報をインターフェースモジュールを介して受信するための統合モジュールを備える。抽出された情報は製品及びハラル賞若しくは証明書関連情報を抽出された情報と比較することによって貿易パートナー及びそれに対応する製品を検証する。検証が成功した場合には対応する貿易パートナーからの製品及びハラル賞若しくは証明書関連情報を、製品についての抽出されたハラル認証情報と統合してデータ構造が得られる。そして、データ構造がレポジトリ内に格納される。データ交換プラットフォームは、レポジトリと協働するとともに、製品関連情報を伝達するために貿易パートナー間での相互作用をもたらすための通信インターフェースを含む。
【０００９】
典型的には、貿易パートナーはインターフェースモジュール（１０２）を介して製品についての製品及びハラル賞若しくは証明書関連情報を提供する。該情報には、グローバルな貿易標準化機関によって提供される製品についての識別番号、ハラル証明書若しくは賞の詳細事項、製品に使用されている原料、製品の栄養価、製品に使用されている原料の源泉、製品の包装、並びに、ハラル物流やハラル倉庫保管やハラル小売りやハラル金融の使用に関する事項が含まれる。
【００１０】
さらに、インターフェースモジュールは、アプリケーションプログラマブルインターフェース（ＡＰＩ）、ＸＭＬメッセージ、及び電子データ交換（ＥＤＩ）を含む通信手法を用いて、外部認証機関と通信して製品関連及び認証関連情報を抽出する。
【００１１】
さらに、データ交換プラットフォームはハラル製品の購買を促進する支払インターフェースを備えるポータルを含む。
【００１２】
さらに、ポータルは、複数のアクションボタンを含む。これらのボタンは、貿易パートナーが、特定の製品又は相手方／貿易パートナーを検索すること、特定の製品カタログを購読すること、情報請求のために貿易パートナーに連絡すること、及び、特定の製品に関して支払を行うことを支援する。
【００１３】
さらに、システムは、解析エンジンを有する。この解析エンジンは、システムの活動を解析し、また、予測、貿易パートナー／製品についてのランキング及び／又はレーティング、類似製品についてのレコメンデーション、レポート及びこれらの組合せを含む解析結果を生成する。
【００１４】
さらに、システムは更新モジュールをさらに備える。この更新モジュールは、貿易パートナーの製品カタログへの変更及びハラル認証機関にて登録されているハラル認証情報への変更に対して行った解釈に基づいて、製品関連情報及び認証関連情報をレポジトリにて更新する。
【００１５】
本発明の第２の態様によれば、地理的に分散した貿易パートナーのネットワークにおけるハラル製品関連情報の捕捉、検証、及び相互作用を促進するための方法は、次のステップを含む。複数の貿易パートナー、及びグローバルな貿易標準化機関を含む外部認証機関、及びグローバルなハラル認証機関と接続するためのインターフェースを提供するステップと、製品及びハラル賞若しくは証明書関連情報を貿易パートナーから受信するステップと、貿易パートナーの製品及びハラル認証情報の各々を外部認証機関から抽出するステップと、製品及びハラル賞若しくは証明書関連情報を抽出された情報と比較することによって貿易パートナー及びそれに対応する製品を検証するステップと、検証が成功した場合には対応する貿易パートナーからの製品及びハラル賞若しくは証明書関連情報を、製品についての抽出されたハラル認証情報と統合してデータ構造を得るステップと、データ構造をレポジトリ内に格納するステップと；通信インターフェースを提供して貿易パートナー間での相互作用をもたらしてレポジトリ内に格納された製品関連情報を伝達するステップである。
【００１６】
当該第２の態様によれば、製品及びハラル賞若しくは証明書関連情報を製品についてのハラル認証情報と統合してデータ構造を得るステップは、グローバルな貿易標準化機関によって提供される製品についての識別番号、製品に使用されている原料、製品の栄養価、製品に使用されている原料の源泉、製品の包装、並びに、ハラル物流やハラル倉庫保管やハラル小売りやハラル金融の使用に関する事項を補足することを含む。
【００１７】
さらに、通信インターフェースを提供するステップは、貿易パートナーが、特定の製品又は相手方／貿易パートナーを検索すること、特定の製品カタログを購読すること、情報請求のために貿易パートナーに連絡すること、及び、特定の製品に関して支払を行うことを支援するステップを含む。
【００１８】
さらに、方法は、支払インターフェースを提供してハラル製品の購買を支援するステップをさらに含むことができる。
【００１９】
さらに、方法は、グローバルな貿易標準化機関に登録されている貿易パートナーの製品カタログへ加えられた変更及びハラル認証機関において入手可能なハラル認証情報へ加えられた変更を追跡及び解釈するステップと、変更をもって、レポジトリ内に格納されている当該製品についてのデータ構造を更新するステップ、とをさらに含んでもよい。
【００２０】
さらに、方法は、ポータル上での活動を解析するステップと、予測、貿易パートナーの製品についてのランキング及び／又はレーティング、類似製品についてのレコメンデーション、レポート及びこれらの組合せを含む解析結果を解析された活動に基づいて生成するステップ、とをさらに含んでもよい。
【００２１】
本発明の第３の態様によれば、データ構造を生成して地理的に分散した貿易パートナーのネットワークのための検証済みハラル製品関連情報の捕捉を促進する方法が開示される。この方法は、製品及びハラル賞若しくは証明書関連情報を貿易パートナーから受信するステップと、製品及びハラル賞若しくは証明書関連情報に基づいて貿易パートナーの各々の製品及びハラル認証情報を、グローバルな貿易標準化機関とグローバルなハラル認証機関とを含む外部認証機関から抽出するステップと、貿易パートナーによって提供された製品及びハラル賞若しくは証明書関連情報を抽出された情報と比較することによって貿易パートナー及びそれに対応する製品を検証するステップと、検証が成功した場合には対応する貿易パートナーから受信した製品及びハラル賞若しくは証明書関連情報を、関連付けられた製品についての抽出されたハラル認証情報と統合するステップと、特定の貿易パートナー及び少なくとも１つの対応する製品についての統合された情報を個別データ構造内へと格納するステップと；データ構造をレポジトリ内へと格納するステップとを含む。
【００２２】
第３の態様によれば、製品及びハラル賞若しくは証明書関連情報を貿易パートナーから受信するステップは、グローバルな貿易標準化機関によって提供される製品についての識別番号、ハラル証明書若しくは賞の詳細事項、製品に使用されている原料、製品の栄養価、製品に使用されている原料の源泉、製品の包装、並びに、ハラル物流やハラル倉庫保管やハラル小売りやハラル金融の使用に関する事項を含む情報を補足することを含む。
【００２３】
本発明の第４の態様によれば、地理的に分散した貿易パートナーのネットワークのための検証済みハラル製品関連情報を捕捉するためのコンピュータ可読媒体が提案される。このコンピュータ可読媒体は、プロセッサを備える。このプロセッサは、製品及びハラル賞若しくは証明書関連情報を少なくとも１つの貿易パートナーから受信し、製品及びハラル賞若しくは証明書関連情報に基づいて少なくとも１つの貿易パートナーの製品及びハラル認証情報を、グローバルな貿易標準化機関とグローバルなハラル認証機関とを含む外部認証機関から抽出し、製品及びハラル賞若しくは証明書関連情報を、抽出された情報と比較することによって少なくとも１つの貿易パートナー及びそれに対応する製品を検証し、検証が成功した場合には対応する貿易パートナーから受信した製品及びハラル賞若しくは証明書関連情報を、関連付けられた製品についての抽出されたハラル認証情報と統合するように構成される。さらに、コンピュータ可読媒体は、特定の貿易パートナー及び少なくとも１つの対応する製品についての統合された情報を個別データ構造内へと格納するためのレポジトリを備える。
【００２４】
典型的には、貿易パートナーからの製品及びハラル賞若しくは証明書関連情報は、グローバルな貿易標準化機関によって提供される製品についての識別番号、ハラル証明書若しくは賞に関する詳細事項、製品に使用されている原料、製品の栄養価、製品に使用されている原料の源泉、製品の包装、並びに、ハラル物流やハラル倉庫保管やハラル小売りやハラル金融の使用に関する事項を含む情報を含む。
【００２５】
本発明の第４の態様によれば、コンピュータ可読媒体は、データ構造内に格納されたハラル製品関連情報について地理的に分散した貿易パートナーのネットワークで同期及び伝達を行うためのデータ交換プラットフォームに組み込まれている。代替的には、コンピュータ可読媒体は、地理的に分散した貿易パートナーのネットワークにおけるハラル製品の商取引を促進するためにデータ構造内に格納されているハラル製品関連情報を用いるためのポータル内に組み込まれており、該ポータルは通信インターフェースと支払インターフェースとを備える。
【００２６】
後述する好適実施形態に関する説明及び同様の参照符号が類するコンポーネントを表す添付の図面からは、本願の発明的内容の様々な目的、特徴、態様及び利点がより明らかとなる。
【図面の簡単な説明】
【００２７】
添付の図面は本発明の更なる理解を可能とするために含められており、本願の一部として取り込まれて構成要素となる。図面は本発明の例示的実施形態を示し、明細書を参照することによって本発明の原理が説明される。
【００２８】
【図１】本発明による、地理的に分散した貿易パートナーのネットワークにおけるハラル製品関連情報の検証及び交換を促進するためのシステムの概略図である。
【図２】本発明による、統合モジュールによって作成されるデータ構造の例示的レイアウトを示す図である。
【図３】本発明による、ポータルのユーザインターフェースの例示的レイアウトを示す図である。
【図４】本発明による、ポータルのユーザインターフェースの例示的レイアウトを示す図である。
【図５】本発明による、ポータルのユーザインターフェースの例示的レイアウトを示す図である。
【図６】本発明による、地理的に分散した貿易パートナーのネットワークにおけるハラル製品に関しての対話及び商取引を促進するためのステップを示すフローチャートである。
【発明を実施するための形態】
【００２９】
本明細書中の実施形態及びそれらの様々な特徴及び長所は、後述の実施形態により示されるが、これらに限定されない。本明細書中の実施形態を不必要に難解にしないように、周知のコンポーネント及び処理手法についての記述は省略する。本明細書中の例は、本願の実施形態をどのようにして実施できるのかに関して理解を増進することを意図しているにすぎず、本明細書中の実施形態を当業者がさらに実施できるようにするためのものである。したがって、本明細書は実施形態の範囲を限定するものとして解すべきではない。
【００３０】
後述の具体的実施形態は本願の実施形態の一般的特徴について全体的な説明をするものである。そうすることで、当業者は、そのような具体的実施形態における様々な用途に関し、本発明の一般的な概念から逸脱することはなく、既存の知識を適用することによって容易に変更又は適応又は実施することができる。これらの適応や変更は、開示される実施形態と均等な意味・範囲内にあると解されるように意図してなされており、また、そう解されるべきである。本願明細書にて用いられる言い回し及び用語は、限定のためではなく説明のために用いられていることに留意されたい。
【００３１】
本願明細書で用いる様々な用語は、下記において定義される。請求項で用いられているが下記において定義されていない用語に関しては、出願時の印刷されている刊行物や発行されている特許を当業者が考慮した際に与えるであろう最広義の定義を付与すべきである。明細書中で用いられる「貿易パートナー」には、貿易（取引き）を行うに際して協働する製造業者、供給業者、購買者、小売業者、卸売業者及び配給業者が含まれる。
【００３２】
また、「貿易パートナー」には、データプールを伴う製造業者、供給業者、購買者、小売業者、卸売業者及び配給業者間の協働も含まれるのであり、データプールとは、特定の地域又は場所に関しての取引情報を格納する中央レポジトリである。
【００３３】
ハラル製品に関しての増大しつつある需給ギャップ、及び、ハラル遵守の観点からの製品仕様情報や共通のプラットフォーム上でハラル認証情報を同時的に提供するグローバル貿易プラットフォームの欠如が、本発明をもたらした。先述の課題を解決するために、本発明の幾つかの側面は、貿易パートナー間の相互作用を促進し、並びに、地理的に分散した貿易パートナーのネットワークにおけるハラル製品に関しての検証、相互作用、及び商取引のためのグローバルプラットフォームを提供する。
【００３４】
本発明により提案されるシステムは、下記の情報を単一のデータ構造にて捕捉及び同期することを支援する。
・価格等の取引関連情報
・ハラル証明書発行機関やハラル証明書有効期限等のハラル認証関連情報
・ハラル物流やハラル金融やハラル小売りやハラル倉庫保管や製品の源泉等のハラルに関する一般的参照情報
・原料等の製品に関するライフスタイル関連情報
したがって、グローバルな貿易パートナーは、単一のプラットフォームを介してハラル製品についての全般的情報にアクセスすることができ、これによって彼等は様々なハラル関連パラメータにアクセスすることができ、ハラル製品の仕様が自己の市場のニーズ及び主たるハラル信条に合致しているか否かを評価することができる。
【００３５】
また、提案されるシステムは、グローバルな貿易標準化機関やグローバルなハラル認証機関を含む適切な認証機関と相互作用することができ、そうすることで、これらの機関が提供し信頼できる情報を用い、データ構造内にてシステムが捕捉した情報が確実に検証される。
【００３６】
また、提案されるシステムは、貿易パートナーを接続するための通信インターフェースと、それぞれ情報交換及び製品の取引のための支払ゲートウェイとを提供する。通信インターフェースは、小売業者又は購入者が供給業者に連絡して、それらの製品カタログ及び以後のカタログの更新情報を購読すること、又は、それらの製品について追加の情報を入手するために連絡を取ることを可能にする。
【００３７】
さらに、提案されるシステムは、貿易パートナー及びそれらの製品の登録時に貿易パートナーからの追加的な製品関連情報を捕捉して製品が追跡可能でハラルを遵守しているものであることを保証する。情報には、製品に使用されている原材料、製品に使用されている原料及びそれらの内容物における百分率、製品の発送に使用される配送会社（その会社がハラル遵守的であるか否か）、供給業者が自己の会社又はハラル製品の製造事業に関してイスラム保険を適用したか否か、及び、供給業者が製品を輸出するに関して準備が整っているか否か、が含まれる。このシステムによれば、貿易パートナー間での商取引を行うために必要なあらゆる情報が、標準化されたフォーマットで、確実に、捕捉、格納、及び呼び出される。
【００３８】
したがって、本発明はハラル製品のサプライチェーンの課題を解決するために同期化された情報を活用する統合プラットフォームを提供し、あらゆる企業−消費者間（ＢＺＣ）又は消費者−消費者間（ＣＺＣ）ニーズに対処するとともに、追跡可能な検証済みハラル情報を維持する。
【００３９】
添付の図面を参照するに、図１は地理的に分散した貿易パートナーのネットワークにおけるハラル製品に関しての捕捉、検証、及び相互作用を促進するためのシステム（１００）を示す。本発明の幾つかの側面はコンピューティングプラットフォーム上で実施でき、一般にそのようなプラットフォームは、少なくとも１つのプロセッサ並びにプロセッサと協働する少なくとも１つの記憶装置若しくはコンピュータ可読媒体を含んでおり、これらは命令を格納したりデータを処理したりする。本発明は少なくとも１つの物理サーバにホスティングされるかクラウド等の仮想環境上にホスティングでき、ハードウェア資源、ソフトウェア資源及びこれらの組合せを用いてシステム（１００）のモジュールを実行する。
【００４０】
本発明によれば、システム（１００）は、貿易パートナー及びその製品の真正性を検証するために、複数の貿易パートナー、外部認証機関及びグローバルなハラル認証機関とを接続するためのインターフェースモジュール（１０２）を含む。外部認証機関にはグローバルデータ同期ネットワーク（ＧＤＳＮ、Global Data Synchronization Network）等のグローバルな貿易標準化機関や、マレーシアイスラム開発局（ＪＡＫＩＭ、Department of Islamic Development Malaysia）やオーストラリアハラル食品サービス（ＡＨＦＳ、Australian Halal Food Service）等のグローバルなハラル認証機関が含まれる。インターフェースモジュール（１０２）は、公開されているアプリケーションプログラマブルインターフェース（ＡＰＩ）やＸＭＬメッセージや電子データ交換（ＥＤＩ）等を含む通信手段を用いて、情報を交換又は抽出するために外部認証機関及び貿易パートナーと接続及び通信する。
【００４１】
さらに、システム（１００）は、貿易パートナーの製品情報及びハラル認証情報を外部認証機関からインターフェースモジュール（１０２）を介して抽出するための抽出モジュール（１０４）を含む。情報は、典型的にはＸＭＬフォーマットで抽出される。
【００４２】
本願発明の例示的実施形態において、システム（１００）に加入するに際しては、貿易パートナー（典型的にはＧＤＳＮに登録されるべき供給業者）は、登録製品のグローバル貿易アイテム番号（ＧＴＩＮ、Global Trade item Number）／在庫管理単位（ＳＫＵ、Stock Keeping Unit）番号、及び、ハラル認証番号若しくは賞の授与に関する詳細事項といった情報の提供が求められる。この実施形態によれば、加入に際して貿易パートナーは、「製品情報マスターデータ」又は「製品及びハラル賞若しくは証明書関連情報」を、インターフェースモジュール（１０２）を介してシステム（１００）に渡す。以下においては、「製品情報マスターデータ」及び「製品及びハラル賞若しくは証明書関連情報」は可換的に扱われる。
【００４３】
本発明によれば、表１にあるような、製品情報マスターデータには製品属性、ハラル証明書／賞情報マスターデータ、取引関連情報、及びハラル認証情報が含まれるが、これらには限定されない。
【表１】
2017224279.tif 000003
【００４４】
そして、抽出モジュール（１０４）は製品カタログを抽出するのであり、これにはＧＴＩＮ／ＳＫＵに基づいているＧＤＳＮからの取引関連製品情報が含まれている。
【００４５】
本発明の第１の態様によれば、システム（１００）は、貿易パートナーによって加入／登録された製品についての製品情報を、グローバルな貿易標準化機関から抽出する。また、抽出モジュール（１０４）は、貿易パートナーによって提供されたハラル証明書詳細事項に基づいてハラル認証情報を抽出するのであり、これにはハラル証明書の有効性、その有効期限、及びその再発行日が含まれている。
【００４６】
抽出された情報及び貿易パートナーによって寄託された製品情報マスターデータは、次に統合モジュール（１０６）へと転送される。統合モジュール（１０６）は、表１に示す製品情報マスターデータを認証機関から抽出された情報と比較することによって、貿易パートナー及びそのハラル製品が真正であるか否か確認するに際して主要な役割を果たす。検証が成功した場合、統合モジュール（１０６）は製品情報マスターデータをハラル認証情報と統合する。
【００４７】
統合された情報は、統合モジュール（１０６）によってデータ構造としてレポジトリ（１０８）内に格納される。このようにして作成されたレポジトリ（１０８）は、貿易パートナーにとっては、信頼されたハラル関連情報の源となる。
【００４８】
第１の態様によれば、検証が失敗した場合、即ち、製品情報マスターデータが、ＧＤＳＮ上の対応する取引関連情報、及び／又は、ハラル認証機関にて提供されるハラル認証情報と同期しない場合、統合モジュール（１０６）はシステム（１００）の警告を生成する。警告に応答して、システムは手動介入を要請するのであり、認証機関に照会して情報を検証するか、及び／又は、対応する貿易パートナー及びその製品の登録を却下する。
【００４９】
このようにして、統合モジュール（１０６）は、インターフェースモジュール（１０２）を介して外部認証機関と通信し、ＧＴＩＮ番号及びハラル認証詳細事項の有効性を確認して、そして、レポジトリ（１０８）内に貿易パートナーの製品毎のデータ構造を作成する。
【００５０】
このような態様で、本発明は、地理的に分散した貿易パートナーのネットワークのための信頼されたハラル関連情報のデータプールを作成する。このようにして作成されたデータプールは、現在グローバルな貿易標準化機関は提供していないハラル製品に関連して存在する情報ギャップを埋め合せする。
【００５１】
したがって、図２に示すように、貿易パートナーによって提供された製品情報マスターデータ及びハラル関連情報の双方を総体的に捕捉するようなデータ構造（１２０）によって各製品は表される。「データ構造」との用語は、レポジトリやデータベース等の記憶格納装置内の箇所に関連するのであり、製品についての情報又は属性を格納するための複数のサブフィールドを有する。
【００５２】
図２に示すように、提案されるデータ構造（１２０）のレイアウトは、複数のフィールドを有しており、これにはハラル適格性認定の「種類」（即ちそれが証明書であるか賞の授与であるかということ）も含まれることができるがこれに限定されない。データ構造の「性質」は例えば一般、ハラル、輸出とすることができ、データ構造の「コンテキスト」はデータ構造が会社自体のためのものか又は製品、保険サービス若しくは物流関連サービスのためのものかを示す。「発行国」はハラル証明書若しくは賞を発行する機関の国コードを捕捉し、「発行機関」はハラル認証機関（例えば、マレーシアの場合はＪＡＫＩＭ）の名称を捕捉する。「シリアル番号」のフィールドは、ハラル証明書又は賞に添付されている一意のシリアル番号を捕捉する。「開始日」及び「有効期限」は、それぞれハラル証明書又は賞の開始日及び終了日をＹＹＹＹＭＭＤＤフォーマットで捕捉する。
【００５３】
本発明によれば、データ構造（１２０）はカスタマイズ可能であり、追加のフィールドを有することができ、これによって製品又は役務に関してのハラル、取引、又はライフスタイル関連の情報を捕捉することができる。
【００５４】
さらに、統合モジュール（１０６）は、データ構造の圧縮バージョンも生成する。データ構造は、種類、種類の性質、コンテキスト、発行国、及びシリアル番号等のハラル適格性認定関連フィールドを含む。圧縮バージョンはＧＳＩ等の貿易標準化機関と共有する際に使用される。圧縮バージョンは貿易標準化機関と互換性のあるフォーマットとされ、これによって既存の取引関連情報にハラル情報が付加され、ＧＤＳＮ内の地理的に分散した様々なデータプール上で利用可能な製品詳細事項を拡充することができる。
【００５５】
システムは、レポジトリ（１０８）上に構築されたデータ交換プラットフォーム（１１０）を提供する。データ交換プラットフォーム（１１０）は、製品関連情報を伝達するために貿易パートナー間での相互作用を促進するための通信インターフェースを含む。データ交換プラットフォーム（１１０）は、ＥＤＩとして提供されて貿易パートナーが情報を共有できるようにする。例えば、貿易パートナーは、統合されたハラル情報を小売業者又は別のデータプールと共有することができる。代替的実施形態では、データ交換プラットフォーム（１１０）は、ポータル（１１０）として提供されることができる。このポータルはレポジトリ（１０８）内に格納された製品詳細事項への完全なアクセスを提供できる。製品詳細事項はインデックス付けされて検索可能である。ポータル（１１０）の通信インターフェース又はユーザインターフェースは貿易パートナー間での通信を促進する。システム（１００）に登録した際に、ポータル（１１０）にアクセスするための貿易パートナー用のログイン認証が生成される。ポータル（１１０）のユーザインターフェースには複数のアクションボタンが含まれる。このボタンは、貿易パートナーが、特定の製品又は供給業者又は施設を検索すること、特定の製品カタログを購読すること、情報交換のために貿易パートナーに連絡すること及び注文を作成すること及び／又は特定の製品について支払をすることを支援する。図３〜５は、ポータル（１１０）のユーザインターフェースについて様々な例示的実施形態を示す。図３に示すポータル（１１０）のユーザインターフェースには検索及びナビゲーションアクションボタンが設けられており、これらのボタンにより取引における特定の製品又は会社の検索が可能になる。そして、図４に示すように関連付けられた会社のリスト、又は、図５に示すような製品に関しての詳細事項及び／又は製品に関してのリストを取得することができる。
【００５６】
システム（１００）は、更新モジュール（１１４）を有する。更新モジュール（１１４）は、ＧＤＳＮのデータベース上の供給業者の製品カタログに加えられた更新を確認して、ハラル証明書／賞情報を事案に応じて更新して、レポジトリ（１１０）内の対応するデータ構造を更新する。なお、更新手段（１１４）は、ＧＤＳＮメッセージから他の様々な情報を抽出することもできる。また、更新手段（１１４）は、ビジネスにとって肝要な下記に列挙するキー情報を取得するためのインタープリタを有しており、レポジトリ（１０８）内の情報を更新する。
・公表アクションの有無を確認すること（即ち、ＧＤＳＮデータベースに対して「追加」又は「リフレッシュによって変更」アクションがいつ行われたかを決定すること）
・公表されたＧＴＩＮのヒエラルキーを確認すること（公表されたＧＴＩＮが基礎的単位であるか否かを決定すること）
・公表が公的であるか私的であるかを確認すること（即ち、ＧＴＩＮ公表が特定の会社のみから認知可能であるか否か）
・公表状態及び公表日時を確認すること
【００５７】
上記の情報はレポジトリ（１０８）にて更新されて、また、解析のためにシステム（１００）の解析エンジン（１１２）に渡される。解析エンジン（１１２）はこの情報を用いて下記の事項を含む解析を行う。
・会社毎のＧＴＩＮカウントを算出すること、
・アイテム視認度（公的／私的）、公表状態に基づいてＧＴＩＮカウントを算出すること、
・公表によって影響されたＧＴＩＮを算出すること、
・特定の日時に会社によってなされた公表行為
【００５８】
本発明によれば、解析の結果は、自己の公表された製品を供給業者が維持・追跡するに際しての手助けとなり得る。
【００５９】
また、システム（１００）の意思決定支援システムである解析エンジン（１１２）は、データ交換プラットフォーム又はポータル（１１０）のバックグラウンドで実行され、データ交換プラットフォーム又はポータルの使用状況及びこれらで行われた様々なアクションに関してのデータを収集して、予測、レーティング、レコメンデーション、及びレポートを生成する。例えば、解析エンジン（１１２）は特定の供給業者からのどの製品が頻繁に注文されているかを追跡することができ、そうすることでその製品のレーティングを上昇させることができる。また、分析エンジン（１１２）は、統合モジュール（１０６）によって生成された出力を検証することによって取引プラットフォームのプロファイルを評価する。供給業者の製品検証要求が失敗した場合又はＧＳＩ及びハラル認証機関の基準に合致しなかった場合、貿易パートナーのレーティングは減じられる。このようなレーティングを解析エンジン（１１２）が既登録貿易パートナーの選別に使用することができ、システム（１００）に真正の貿易パートナーのみが登録されている状態を保証することができる。小売業者等の貿易パートナーの支払履歴に関して同様の確認が行われて、、支払遅延又は不渡りが小売業者について発生したか否かを確認することによって小売業者に関してレーティングが生成される。このようなレーティングにより、貿易パートナーは、ある供給業者及び／又は小売業者が貿易パートナーとして選定されるべき真正な業者であるか否かを確度良く判断できる。
【００６０】
図５に示すように、解析エンジン（１１２）は、製品に関しての取引関連情報、ハラル認証情報、及びライフスタイル関連情報に基づいて、類似製品に関する提案を生成する。この類似製品に関する提案は一般的に参照符号（５００）で表す。特定の供給業者又は小売業者に関して検索を実行した場合にも同様のレコメンデーションを解析エンジンが生成することができる。
【００６１】
さらに、解析エンジン（１１２）は、先述の解析結果に基づいてレポート及び予測をも生成する。したがって、システム（１００）にとって必要となるビジネスインテリジェンスが生成される。
【００６２】
本発明の実施形態には様々なステップが含まれるのであり、これに関しては後述する。各ステップは、ハードウェアコンポーネントによって実行されるか、機械実行可能命令として実装される。かかる機会実行可能命令は、汎用プロセッサ、特殊用途プロセッサ若しくは命令がプログラムされた論理回路に対してステップを実行させる態様で用いられる。代替的には、ステップはハードウェアコンポーネント及びソフトウェアコンポーネントの組合せによって実行してもよい。
【００６３】
本発明の第２の態様によれば、地理的に分散した貿易パートナーのネットワークにおけるハラル製品関連情報の捕捉、検証、及び相互作用を促進するための方法を提供する。この方法は、図６で示されるように、複数の貿易パートナー、グローバルな貿易標準化機関を含む外部認証機関、及びグローバルなハラル認証機関と接続するためのインターフェースを提供するステップと（１０００）、製品及びハラル賞若しくは証明書関連情報を貿易パートナーから受信するステップと（１００２）、貿易パートナーの製品及びハラル認証情報の各々を外部認証機関から抽出するステップと（１００４）、製品及びハラル賞若しくは証明書関連情報を抽出された情報と比較するステップと（１００６）、貿易パートナー及びそれに対応する製品が真正品であるかについて検証するステップと（１００８）、検証が成功した場合には対応する貿易パートナーからの製品及びハラル賞若しくは証明書関連情報を、製品についての抽出されたハラル認証情報と統合してデータ構造を得てそしてデータ構造をレポジトリ内に格納するステップと（１０１０）、通信インターフェースを提供して貿易パートナー間での相互作用をもたらしてレポジトリ内に格納された製品関連情報を伝達するステップ（１０１２）とを含む。
【００６４】
第２の態様によれば、製品及びハラル賞若しくは証明書関連情報を製品についてのハラル認証情報と統合してデータ構造を得るステップは、グローバルな貿易標準化機関によって提供される製品についての識別番号、製品に使用されている原料、製品の栄養価、製品に使用されている原料の源泉、製品の包装、並びに、ハラル物流やハラル倉庫保管やハラル小売りやハラル金融の使用に関する事項を補足することを含む。
【００６５】
さらに、通信インターフェースを提供するステップは、貿易パートナーが、特定の製品又は供給業者を検索すること、特定の製品カタログを購読すること、情報請求のために貿易パートナーに連絡すること、及び、特定の製品に関して支払を行うことを支援するステップを含む。
【００６６】
さらに、方法は、支払インターフェースを提供してハラル製品の購買を支援するステップを含む。
【００６７】
さらに、方法は、グローバルな貿易標準化機関に登録されている貿易パートナーの製品カタログへ加えられた変更及びハラル認証機関において入手可能なハラル認証情報へ加えられた変更を追跡及び解釈するステップと、変更をもって、レポジトリ内に格納されている当該製品についてのデータ構造を更新するステップ、とを含む。
【００６８】
さらに、方法は、ポータル上での活動を解析するステップと、予測、貿易パートナーの製品についてのランキング及び／又はレーティング、類似製品についてのレコメンデーション、レポート及びこれらの組合せを含む解析結果を解析された活動に基づいて生成するステップと、を含む。
【００６９】
本発明の第３の態様によれば、データ構造を生成して、地理的に分散した貿易パートナーのネットワークのための検証済みハラル製品関連情報の捕捉を促進する方法が提供される。この方法は、製品及びハラル賞若しくは証明書関連情報を貿易パートナーから受信するステップと、製品及びハラル賞若しくは証明書関連情報に基づいて貿易パートナーの各々の製品及びハラル認証情報を、グローバルな貿易標準化機関とグローバルなハラル認証機関とを含む外部認証機関から抽出するステップと、貿易パートナーによって提供された製品及びハラル賞若しくは証明書関連情報を抽出された情報と比較することによって貿易パートナー及びそれに対応する製品を検証するステップと、検証が成功した場合には対応する貿易パートナーから受信した製品及びハラル賞若しくは証明書関連情報を、関連付けられた製品についての抽出されたハラル認証情報と統合するステップと、特定の貿易パートナー及び少なくとも１つの対応する製品についての統合された情報を個別データ構造内へと格納するステップと、データ構造をレポジトリ内へと格納するステップとを含む。
【００７０】
第３の態様によれば、製品及びハラル賞若しくは証明書関連情報を貿易パートナーから受信するステップは、グローバルな貿易標準化機関によって提供される製品についての識別番号、ハラル証明書若しくは賞の詳細事項、製品に使用されている原料、製品の栄養価、製品に使用されている原料の源泉、製品の包装、並びに、ハラル物流やハラル倉庫保管やハラル小売りやハラル金融の使用に関する事項を含む情報を補足することを含む。
【００７１】
本発明の第４の態様によれば、地理的に分散した貿易パートナーのネットワークのための検証済みハラル製品関連情報を捕捉するためのコンピュータ可読媒体が提案される。コンピュータ可読媒体は、データプールの一部としてホスティングされているストレージ、又は、物理的若しくは仮想的環境下のストレージ（例えばそれぞれサーバやクラウド等）とすることができる。
【００７２】
第４の態様によれば、コンピュータ可読媒体は、プロセッサ等のコンピューティング装置を備えることができる。このプロセッサ等は、製品及びハラル賞若しくは証明書関連情報を少なくとも１つの貿易パートナーから受信し、製品及びハラル賞若しくは証明書関連情報に基づいて少なくとも１つの貿易パートナーの製品及びハラル認証情報を、グローバルな貿易標準化機関とグローバルなハラル認証機関とを含む外部認証機関から抽出し、製品及びハラル賞若しくは証明書関連情報を、抽出された情報と比較することによって少なくとも１つの貿易パートナー及びそれに対応する製品を検証し、検証が成功した場合には対応する貿易パートナーから受信した製品及びハラル賞若しくは証明書関連情報を、関連付けられた製品についての抽出されたハラル認証情報と統合するように構成される。さらに、コンピュータ可読媒体は、特定の貿易パートナー及び少なくとも１つの対応する製品についての統合された情報を個別データ構造内へと格納するためのレポジトリを備える。
【００７３】
典型的には、貿易パートナーからの製品及びハラル賞若しくは証明書関連情報は、グローバルな貿易標準化機関によって提供される製品についての識別番号、ハラル証明書若しくは賞の詳細事項；製品に使用されている原料、製品の栄養価、製品に使用されている原料の源泉、製品の包装、並びに、ハラル物流やハラル倉庫保管やハラル小売りやハラル金融の使用に関する事項を含む情報を含む。
【００７４】
本発明の第４の態様によれば、コンピュータ可読媒体は、データ構造内に格納されたハラル製品関連情報について地理的に分散した貿易パートナー間で同期及び伝達を行うためのデータ交換プラットフォームに組み込まれる。代替的には、コンピュータ可読媒体は、地理的に分散した貿易パートナーのネットワークにおけるハラル製品の商取引を促進するためにデータ構造内に格納されているハラル製品関連情報を用いるためのポータル内に組み込まれる。このポータルは、通信インターフェースと支払インターフェースとを備える。
【００７５】
本発明がもたらす技術的進歩として、ＧＳＩ等のグローバルな貿易標準化機関に登録されている供給業者についての既存の製品カタログを拡充させるために使用することができる包括的なハラル製品ディレクトリが得られる。代替的には、ハラル製品ディレクトリを、本発明によって想定される独特なポータルと共に用いて、貿易パートナー間での製品情報の交換を促進して、また、グローバルなハラル製品の注文及び購買のための電子商取引プラットフォームとして機能させることもできる。したがって、世界規模で、地域的なハラル製品系貿易パートナーとグローバルなハラル製品系貿易パートナーとを連携させることができる。
【００７６】
また、提案される発明によれば次のような態様において供給業者のニーズに応え得る。
・複数の貿易プラットフォーム上で製品情報を維持するに際しての費用の増大をなくすこと
・特に、ハラル認証の詳細事項並びに原料及び製造プロセス及び製品に関して用いられるハラル金融やハラル倉庫保管やハラル小売りやハラル物流等の文脈において、貿易パートナーに透明性をもたらすこと
・市場投入までの時間に関しての迅速性を改善すること
・製品に関してランキング及びレコメンデーションを提供することによって製品の評判を管理すること；並びにサプライチェーン規模での製品の周知化を図ること
【００７７】
同様にして、本発明によれば次の態様において購買者又は小売業者のニーズに応え得る。
・様々な貿易プラットフォーム上で供給業者及びサプライチェーンコミュニティを管理することに際しての費用の増大をなくすこと
・増加した製品情報及び各製品に関してのランキングにアクセスできることによってもたらされる、電子商取引による購買に関してのスケールアップの機会の提供
・ハラル基準違反の場合の潜在的な法的リスクをなくすこと、及び
・モバイル版や他のデジタルプラットフォームに移行することできなくなる可能性の排除
【００７８】
上記において本発明の様々な実施形態を説明したが、本発明の基礎的範疇を逸脱せずに本発明に関しては他の実施形態及びさらなる実施形態が可能である。本発明の範囲は添付の特許請求の範囲によって画定される。本発明は説明された実施形態、バージョン又は例に限定されてはおらず、これらは、当業者が有しているべき情報及び知識を持っている当業者が本発明を実施することができるようにするために含められていることに留意されたい。
【符号の説明】
【００７９】
１００    システム
１０２    インターフェースモジュール
１０４    抽出モジュール
１０６    統合モジュール
１０８    レポジトリ
１１０    データ交換プラットフォーム
１１２    解析エンジン
１１４    更新モジュール
１２０    データ構造
【図１】
2017224279.tif 000004
【図２】
2017224279.tif 000005
【図３】
2017224279.tif 000006
【図４】
2017224279.tif 000007
【図５】
2017224279.tif 000008
【図６】
2017224279.tif 000009
【外国語明細書】
2017224279000001.pdf